(57)【要約】【課題】  携帯機器に取り付けたストラップを外さなくても簡単に防水可能とする。【解決手段】  携帯電話１０に結ぶ下紐２と、首または手首に掛ける上紐３と、下紐２及び上紐３の一端を固定する固定金具４Ｂとを備えたストラップ１Ｂと、携帯電話１０を収納し、口部６０を下紐２と共に窄めることのできる防水性と柔軟性を有する袋６と、下紐２と共に窄めた袋６の口部６０を側面の差し込み口５３Ｂから差し込み、保持させる差し込み部５２Ｂを有する口止め部材５Ｂと、口止め部材５Ｂに着脱自在に嵌合させて差し込み口５３Ｂを封止するキャップ部材７とを備えた。【選択図】      図２５
2015111800.tif 000002
【特許請求の範囲】
【請求項１】
携帯機器に結ぶ下紐と、首または手首に掛ける上紐と、下紐及び上紐の一端を固定する固定金具とを備えたストラップと、
携帯機器を口部から収納させ、口部をストラップの下紐に沿わせて棒状に窄めることのできる防水性と柔軟性を有する袋と、
窄めた袋の口部を差し込み、口部が開かないように保持させる上下に貫通した差し込み部を有する口止め部材と、
を備えたことを特徴とする携帯機器用防水具。
【請求項２】
口止め部材の上端部に、差し込み部に差し込んだ袋の口部を嵌め込み挟持させる溝を設けたこと、
を特徴とする請求項１記載の携帯機器用防水具。
【請求項３】
口止め部材を弾性部材から形成するとともに、
口止め部材の外側面に着脱自在に嵌合して差し込み部を窄める方向に変形させるキャップ部材を設けたこと、
を特徴とする請求項１記載の携帯機器用防水具。
【請求項４】
携帯機器に結ぶ下紐と、首または手首に掛ける上紐と、下紐及び上紐の一端を固定する固定金具とを備えたストラップと、
携帯機器を口部から収納させ、口部をストラップの下紐に沿わせて棒状に窄めることのできる防水性と柔軟性を有する袋と、
窄めた袋の口部を側面の差し込み口から差し込み、保持させる差し込み部を有する口止め部材と、
口止め部材に着脱自在に嵌合させて差し込み部の差し込み口を封止するキャップ部材と、
を備えたことを特徴とする携帯機器用防水具。
【請求項５】
口止め部材を弾性部材から形成するとともに、
口止め部材の外側面にキャップ部材が嵌合されると差し込み部が窄まる方向に変形するようにしたこと、
を特徴とする請求項４記載の携帯機器用防水具。
【請求項６】
キャップ部材は、窄めた袋の口部が差し込まれた口止め部材の側面に沿って袋の膜を広げた状態で、口止め部材の外側面に嵌合可能に形成したこと、
を特徴とする請求項３乃至５の内のいずれか一項記載の携帯機器用防水具。
【請求項７】
携帯機器に結ぶ下紐と、首または手首に掛ける上紐と、下紐及び上紐の一端を固定する固定金具とを備えたストラップと、
携帯機器を口部から収納させ、口部をストラップの下紐に沿わせて棒状に窄めることのできる防水性と柔軟性を有する袋と、
窄めた袋の口部を側面の差し込み口から差し込み、保持させる差し込み部を有する口止め部材と、
を備え、
口止め部材を弾性部材から形成するとともに、
差し込み部に下紐と共に窄めた袋の口部が差し込まれると口止め部材の変形により口部が押圧されて密閉されるようにしたこと、
を特徴とする携帯機器用防水具。
【請求項８】
携帯機器に結ぶ下紐と、首または手首に掛ける上紐と、下紐及び上紐の一端を固定する固定金具とを備えたストラップと、
携帯機器を口部から収納させ、口部をストラップの下紐に沿わせて棒状に窄めることのできる防水性と柔軟性を有する袋と、
窄めた袋の口部を着脱自在に挟み込む第１、第２の挟持部を含み、第１の挟持部の一端縁と第２の挟持部の一端縁が折り曲げ自在に一体化されるとともに、第１の挟持部の他端縁と第２の挟持部の他端縁が窄めた袋の口部を挟み込んだ状態で係脱自在に係合可能に形成された口止め部材と、
を特徴とする携帯機器用防水具。
【請求項９】
第１、第２の挟持部のいずれか一方に、窄めた袋の口部を側面の差し込み口から差し込み、保持させる差し込み部を有する基部を備えたこと、
を特徴とする請求項８記載の携帯機器用防水具。
【請求項１０】
口止め部材の下部に、袋の膜の上から携帯機器の端部を着脱自在に挟む一対の脚を設けたこと、
を特徴とする請求項１乃至９の内のいずれか一項記載の携帯機器用防水具。
【請求項１１】
携帯機器に結ぶ下紐と、首または手首に掛ける上紐と、下紐及び上紐の一端を固定する固定金具とを備えたストラップと、
携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、
棒状に丸めた口部の端部を差し込み、口部が開かないように保持させる上下に貫通した差し込み部を有する口止め部材と、
を備えたことを特徴とする携帯機器用防水具。
【請求項１２】
口止め部材を弾性部材から形成するとともに、
口止め部材の外側面に着脱自在に嵌合して差し込み部を窄める方向に変形させるキャップ部材を設けたこと、
を特徴とする請求項１１記載の携帯機器用防水具。
【請求項１３】
携帯機器に結ぶ下紐と、首または手首に掛ける上紐と、下紐及び上紐の一端を固定する固定金具とを備えたストラップと、
携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、
棒状に丸めた口部の端部を側面の差し込み口から差し込み、保持させる差し込み部を有する口止め部材と、
口止め部材に着脱自在に嵌合させて差し込み部の差し込み口を封止するキャップ部材と、
を備えたことを特徴とする携帯機器用防水具。
【請求項１４】
口止め部材を弾性部材から形成するとともに、
口止め部材の外側面にキャップ部材が嵌合されると差し込み部が窄まる方向に変形するようにしたこと、
を特徴とする請求項１３記載の携帯機器用防水具。
【請求項１５】
携帯機器に結ぶ下紐と、首または手首に掛ける上紐と、下紐及び上紐の一端を固定する固定金具とを備えたストラップと、
携帯機器を口部から収納させる袋であって、口部に、開口端から底に向けてスリットが形成されており、ストラップの下紐をスリットの外側に出した状態で口部を開口端から底に向けて丸め込んで携帯機器を封入することのできる防水性と柔軟性を有する袋と、
棒状に丸めた口部の端部を側面の差し込み口から差し込み、保持させる差し込み部を有する口止め部材と、
を備え、
口止め部材を弾性部材から形成するとともに、
差し込み部に丸めた口部の端部が差し込まれると口止め部材の変形により丸めた口部の端部が押圧されるようにしたこと、
を特徴とする携帯機器用防水具。
【請求項１６】
携帯機器に結ぶ下紐と、首または手首に掛ける上紐と、下紐及び上紐の一端を固定する固定金具とを備えたストラップと、
携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、
棒状に丸めた口部の端部を着脱自在に挟み込む第１、第２の挟持部を含み、第１の挟持部の一端縁と第２の挟持部の一端縁が折り曲げ自在に一体化されるとともに、第１の挟持部の他端縁と第２の挟持部の他端縁が係脱自在に係合可能に形成された口止め部材と、
を備えたことを特徴とする携帯機器用防水具。
【請求項１７】
第１、第２の挟持部のいずれか一方に、窄めた袋の口部を側面の差し込み口から差し込み、保持させる差し込み部を有する基部を備えたこと、
を特徴とする請求項１６記載の携帯機器用防水具。
【請求項１８】
口止め部材をストラップの固定金具の下端部に着脱自在に形成したこと、
を特徴とする請求項１、２、７、８、９、１１、１５、１６、１７の内のいずれか一項記載の携帯機器用防水具。
【請求項１９】
キャップ部材を固定金具の下端部に着脱自在に形成するとともに、
口止め部材をキャップ部材に着脱自在に形成したこと、
を特徴とする請求項３、４、５、６、１２、１３、１４の内のいずれか一項記載の携帯機器用防水具。
【請求項２０】
携帯機器を保護ケース付としたこと、
を特徴とする請求項１乃至１９の内のいずれか一項記載の携帯機器用防水具。
【請求項２１】
未使用時の袋を携帯機器と保護ケースの間に挟んでおくようにしたこと、
を特徴とする請求項２０記載の携帯機器用防水具。
【発明の詳細な説明】
【技術分野】
【０００１】
本発明は携帯機器用防水具に係り、とくに携帯電話、スマートフォンなどの携帯機器が屋外で雨に濡れないようにする携帯機器用防水具に関する。
【背景技術】
【０００２】
携帯電話やスマートフォンは屋外での使用場面が多いが、雨に濡れたり、水溜まりに落としたりするとすぐに壊れてしまう。このため、従来から携帯機器を内部に密閉状態で収納可能なプラスチック製の防水ケースが市販されている。
【０００３】
けれども、携帯電話、スマートフォンにストラップを取り付けていた場合には一々外さないと携帯電話、スマートフォンを防水ケースに収納できない不便があり、ストラップ無しの携帯電話、スマートフォンを防水ケース毎、落としやすくなる欠点があった。
【先行技術文献】
【特許文献】
【０００４】
【特許文献１】実用新案登録第３０４５８５４号
【発明の概要】
【発明が解決しようとする課題】
【０００５】
本発明は上記した従来技術の問題に鑑みなされたもので、携帯機器に取り付けたストラップを外さなくても簡単に防水対策ができる携帯機器用防水具を提供することを、その目的とする。
【課題を解決するための手段】
【０００６】
本発明の請求項１記載の防水具では、携帯機器に結ぶ下紐と、首または手首に掛ける上紐と、下紐及び上紐の一端を固定する固定金具とを備えたストラップと、携帯機器を口部から収納させ、口部をストラップの下紐に沿わせて棒状に窄めることのできる防水性と柔軟性を有する袋と、窄めた袋の口部を差し込み、口部が開かないように保持させる上下に貫通した差し込み部を有する口止め部材と、を備えたことを特徴としている。
本発明の請求項２記載の防水具では、口止め部材の上端部に、差し込み部に差し込んだ袋の口部を嵌め込み挟持させる溝を設けたこと、を特徴としている。
本発明の請求項３記載の防水具では、口止め部材を弾性部材から形成するとともに、口止め部材の外側面に着脱自在に嵌合して差し込み部を窄める方向に変形させるキャップ部材を設けたこと、を特徴としている。
本発明の請求項４記載の防水具では、携帯機器に結ぶ下紐と、首または手首に掛ける上紐と、下紐及び上紐の一端を固定する固定金具とを備えたストラップと、携帯機器を口部から収納させ、口部をストラップの下紐に沿わせて棒状に窄めることのできる防水性と柔軟性を有する袋と、窄めた袋の口部を側面の差し込み口から差し込み、保持させる差し込み部を有する口止め部材と、口止め部材に着脱自在に嵌合させて差し込み部の差し込み口を封止するキャップ部材と、を備えたことを特徴としている。
本発明の請求項５記載の防水具では、口止め部材を弾性部材から形成するとともに、口止め部材の外側面にキャップ部材が嵌合されると差し込み部が窄まる方向に変形するようにしたこと、を特徴としている。
本発明の請求項６記載の防水具では、キャップ部材は、窄めた袋の口部が差し込まれた口止め部材の側面に沿って袋の膜を広げた状態で、口止め部材の外側面に嵌合可能に形成したこと、を特徴としている。
本発明の請求項７記載の防水具では、携帯機器に結ぶ下紐と、首または手首に掛ける上紐と、下紐及び上紐の一端を固定する固定金具とを備えたストラップと、携帯機器を口部から収納させ、口部をストラップの下紐に沿わせて棒状に窄めることのできる防水性と柔軟性を有する袋と、窄めた袋の口部を側面の差し込み口から差し込み、保持させる差し込み部を有する口止め部材と、を備え、口止め部材を弾性部材から形成するとともに、差し込み部に下紐と共に窄めた袋の口部が差し込まれると口止め部材の変形により口部が押圧されて密閉されるようにしたこと、を特徴としている。
本発明の請求項８記載の防水具では、携帯機器に結ぶ下紐と、首または手首に掛ける上紐と、下紐及び上紐の一端を固定する固定金具とを備えたストラップと、携帯機器を口部から収納させ、口部をストラップの下紐に沿わせて棒状に窄めることのできる防水性と柔軟性を有する袋と、窄めた袋の口部を着脱自在に挟み込む第１、第２の挟持部を含み、第１の挟持部の一端縁と第２の挟持部の一端縁が折り曲げ自在に一体化されるとともに、第１の挟持部の他端縁と第２の挟持部の他端縁が窄めた袋の口部を挟み込んだ状態で係脱自在に係合可能に形成された口止め部材と、を特徴としている。
本発明の請求項９記載の防水具では、第１、第２の挟持部のいずれか一方に、窄めた袋の口部を側面の差し込み口から差し込み、保持させる差し込み部を有する基部を備えたこと、を特徴としている。
本発明の請求項１０記載の防水具では、口止め部材の下部に、袋の膜の上から携帯機器の端部を着脱自在に挟む一対の脚を設けたこと、を特徴としている。
本発明の請求項１１記載の防水具では、携帯機器に結ぶ下紐と、首または手首に掛ける上紐と、下紐及び上紐の一端を固定する固定金具とを備えたストラップと、携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、棒状に丸めた口部の端部を差し込み、口部が開かないように保持させる上下に貫通した差し込み部を有する口止め部材と、を備えたことを特徴としている。
本発明の請求項１２記載の防水具では、口止め部材を弾性部材から形成するとともに、口止め部材の外側面に着脱自在に嵌合して差し込み部を窄める方向に変形させるキャップ部材を設けたこと、を特徴としている。
本発明の請求項１３記載の防水具では、携帯機器に結ぶ下紐と、首または手首に掛ける上紐と、下紐及び上紐の一端を固定する固定金具とを備えたストラップと、携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、棒状に丸めた口部の端部を側面の差し込み口から差し込み、保持させる差し込み部を有する口止め部材と、口止め部材に着脱自在に嵌合させて差し込み部の差し込み口を封止するキャップ部材と、を備えたことを特徴としている。
本発明の請求項１４記載の防水具では、口止め部材を弾性部材から形成するとともに、口止め部材の外側面にキャップ部材が嵌合されると差し込み部が窄まる方向に変形するようにしたこと、を特徴としている。
本発明の請求項１５記載の防水具では、携帯機器に結ぶ下紐と、首または手首に掛ける上紐と、下紐及び上紐の一端を固定する固定金具とを備えたストラップと、携帯機器を口部から収納させる袋であって、口部に、開口端から底に向けてスリットが形成されており、ストラップの下紐をスリットの外側に出した状態で口部を開口端から底に向けて丸め込んで携帯機器を封入することのできる防水性と柔軟性を有する袋と、棒状に丸めた口部の端部を側面の差し込み口から差し込み、保持させる差し込み部を有する口止め部材と、を備え、口止め部材を弾性部材から形成するとともに、差し込み部に丸めた口部の端部が差し込まれると口止め部材の変形により丸めた口部の端部が押圧されるようにしたこと、を特徴としている。
本発明の請求項１６記載の防水具では、携帯機器に結ぶ下紐と、首または手首に掛ける上紐と、下紐及び上紐の一端を固定する固定金具とを備えたストラップと、携帯機器を口部から収納させる袋であって、口部に、開口端から底に向けてスリットが形成されており、ストラップの下紐をスリットの外側に出した状態で口部を開口端から底に向けて棒状に丸め込んで携帯機器を封入することのできる防水性と柔軟性を有する袋と、棒状に丸めた口部の端部を着脱自在に挟み込む第１、第２の挟持部を含み、第１の挟持部の一端縁と第２の挟持部の一端縁が折り曲げ自在に一体化されるとともに、第１の挟持部の他端縁と第２の挟持部の他端縁が係脱自在に係合可能に形成された口止め部材と、を備えたことを特徴としている。
本発明の請求項１７記載の防水具では、第１、第２の挟持部のいずれか一方に、窄めた袋の口部を側面の差し込み口から差し込み、保持させる差し込み部を有する基部を備えたこと、を特徴としている。
本発明の請求項１８記載の防水具では、口止め部材をストラップの固定金具の下端部に着脱自在に形成したこと、を特徴としている。
本発明の請求項１９記載の防水具では、キャップ部材を固定金具の下端部に着脱自在に形成するとともに、口止め部材をキャップ部材に着脱自在に形成したこと、を特徴としている。
本発明の請求項２０記載の防水具では、携帯機器を保護ケース付としたこと、を特徴としている。
本発明の請求項２１記載の防水具では、未使用時の袋を携帯機器と保護ケースの間に挟んでおくようにしたこと、を特徴としている。
【発明の効果】
【０００７】
本発明の防水具によれば、携帯機器にストラップを取り付けたまま防水することができる。また、ストラップに、防水性と柔軟性を有する袋と、口止め部材または口止め部材とキャップ部材という簡単なパーツを付加するだけなのでコストが安価に済む。
【図面の簡単な説明】
【０００８】
【図１】本発明の第１実施例に係る携帯電話用防水具の主要部の外観正面図である（実施例１）。
【図２】図１中の口止め部材の正面図である。
【図３】図２の平面図である。
【図４】図３のＩＶ−ＩＶ’線に沿った縦断面図である。
【図５】図１の防水具の使用方法の説明図である。
【図６】図１の防水具の使用方法の説明図である。
【図７】図１の防水具の使用方法の説明図である。
【図８】図１の防水具の使用方法の説明図である。
【図９】本発明の第２実施例に係る携帯電話用防水具の主要部の外観正面図である（実施例２）。
【図１０】図９中の口止め部材の正面図である。
【図１１】図１０の平面図である。
【図１２】図１１のＸＩＩ−ＸＩＩ’線に沿った縦断面図である。
【図１３】図９中のキャップ部材の正面図である。
【図１４】図１３の平面図である。
【図１５】図１４のＸＶ−ＸＶ’線に沿った縦断面図である。
【図１６】図９の防水具の使用方法の説明図である。
【図１７】図９の防水具の使用方法の説明図である。
【図１８】図９の防水具の使用方法の説明図である。
【図１９】図９の防水具の使用方法の説明図である。
【図２０】本発明の第３実施例に係る携帯電話用防水具の主要部の外観正面図である（実施例３）。
【図２１】図２０中の口止め部材の正面図である。
【図２２】図２１の平面図である。
【図２３】図２２のＸＸＩＩＩ−ＸＸＩＩＩ’線に沿った縦断面図である。
【図２４】図２０の防水具の使用方法の説明図である。
【図２５】図２０の防水具の使用方法の説明図である。
【図２６】図２０の口止め部材の変形例を示す正面図である。
【図２７】図２６の平面図である。
【図２８】図２７のＸＸＶＩＩＩ−ＸＸＶＩＩＩ’線に沿った縦断面図である。
【図２９】図２６の口止め部材の使用方法の説明図である。
【図３０】図２６の口止め部材の使用方法の説明図である。
【図３１】本発明の第４実施例に係る携帯電話用防水具の主要部の外観正面図である（実施例４）。
【図３２】図３１中の口止め部材の外観斜視図である。
【図３３】図３２の口止め部材の側面図である。
【図３４】図３２の平面図である。
【図３５】図３１の防水具の使用方法の説明図である。
【図３６】図３１の防水具の使用方法の説明図である。
【図３７】図１中の口止め部材の変形例を示す正面図である。
【図３８】図３７の側面図である。
【図３９】図２６の平面図である。
【図４０】図３９のＸＬ−ＸＬ’線に沿った縦断面図である。
【図４１】図３７の口止め部材の使用方法の説明図である。
【図４２】ストラップの取り付け例を示す説明図である。
【図４３】ストラップの他の取り付け例を示す説明図である。
【図４４】収納袋の変形例の使用方法の説明図である。
【図４５】収納袋の変形例の使用方法の説明図である。
【図４６】収納袋の変形例の使用方法の説明図である。
【図４７】収納袋の保管方法の説明図である。
【発明を実施するための最良の形態】
【０００９】
以下、本発明の最良の形態を実施例に基づき説明する。
【実施例１】
【００１０】
図１乃至図４を参照して本発明の第１実施例を説明する。図１は本発明に係る携帯電話用防水具の主要部の外観正面図、図２は図１中の口止め部材の正面図、図３は図２の平面図、図４は図３のＩＶ−ＩＶ’線に沿った縦断面図である。
これらの図において、１は携帯電話、スマートフォン等の携帯機器に取り付けてユーザが首や手首に掛けて落下しないようにするストラップ、１０は携帯機器の一例としての携帯電話、１１は携帯電話１０に設けられた紐穴（ストラップホール）であり、ストラップ１が取り付けられる。ストラップ１の内、２は携帯電話１０の紐穴１１に結ばれた下紐、３は首または手首に掛ける上紐、４は全体が円柱状に形成されたプラスチック製または金属製の固定金具であり、上端部の紐穴４０に上紐３が挿通されるとともに、下端部の円柱状の凹部４１の中央に下紐２が固着されている。
【００１１】
固定金具４の下端部の凹部４１には断面が凸形で弾性を有するプラスチック製の口止め部材５が着脱自在に嵌着されている。口止め部材５は後述する収納袋（図５の符号６参照）の口部が開かないようにするためのものである。図２乃至図４に示す如く口止め部材５の下端部はリング状のツバ部５０となっており、このツバ部５０の上に略円筒状の筒部５１が一体的に形成されている。口止め部材５は内部に上下に貫通した穴状の差し込み部５２が形成されており、差し込み部５２の下端が差し込み口５３となっている。差し込み部５２は上端近くから下端に掛けてテーパ状に形成されている。口止め部材５の上端部には差し込み部５２を横切るようにして溝５４が刻設されている。図１に示す如くストラップ１の下紐２は口止め部材５の差し込み部５２の中に挿通されている。
ストラップ１、口止め部材５、図５に示す収納袋６により携帯機器用防水具が構成されている。収納袋６は長方形状の透明で防水性及び柔軟性の有るプラスチックシート（塩化ビニールシート、ポリエチレンシートなど）からなる。収納袋６の上端部が携帯機器を出し入れする口部６０となっており、口部６０は収納袋６にストラップ１の結ばれた携帯機器を収納した状態で、下紐２に沿って縦長の棒状に窄めることができるようになっている。
【００１２】
図５乃至図８を参照して上記した実施例の使用方法を説明する。なお予め、口止め部材５の装着されたストラップ１が携帯電話１０に取り付け済みであるとする（図１の状態参照）。
屋外で携帯電話１０をストラップ１により首に掛けているときに、雨が降ってきたとき、まず携帯電話１０を収納袋６の口部６０の開口端６１から中に入れ（図５参照）、上端部の口部６０をストラップ１の下紐２に沿って縦長に窄める（図６参照）。そして、固定金具４から口止め部材５を下方へ外し、下紐２とともに窄めた口部６０を差し込み口５３から差し込み部５２の中に差し込む（図７参照）。これにより、窄めた口部６０が開かないように差し込み部５２の中に保持されるので、携帯電話１０が雨に濡れるのを防止できる。
【００１３】
雨量が多いときなどに、口止め部材５から上に出ている口部６０を溝５４に嵌め込み、挟持させることで、収納袋６の中に雨水が入らないように確実に口部６０を封止することができる（図８参照）。
収納袋６０は透明かつ柔軟性を有するので、収納袋６０に入れたままユーザが携帯電話１０の操作を行うこともできる。
雨が止んで携帯電話１０を収納袋６０から取り出したい場合、口部６０から口止め部材５を外し、収納袋６を携帯電話１０から外すとともに、口止め部材５を下紐２に沿って上げ固定金具４の凹部４１に嵌着すれば良い。
【００１４】
この実施例によれば、予め取り付けてあるストラップ１を外さなくても、収納袋６を用いて携帯電話１０を簡単に防水することができる。また、ストラップ１に防水性と柔軟性を有する収納袋６と口止め部材５という簡単なパーツを付加するだけなのでコストが安価に済む。また、口止め部材５は不使用時に固定金具４に装着しておけるので紛失する恐れがない。また、収納袋６は透明かつ柔軟性を有するので、収納袋６に入れたままユーザが携帯電話１０の操作を行うこともできる。
【００１５】
なお、上記した実施例では、口止め部材の上端部に溝を設け、窄めた口部を溝に嵌め込めるようにしたが、溝を省略しても良い。
【実施例２】
【００１６】
次に、図９乃至図１５を参照して本発明の第２実施例を説明する。図９は本発明に係る携帯電話用防水具の主要部の外観正面図、図１０は図９中の口止め部材の正面図、図１１は図１０の平面図、図１２は図１１のＸＩＩ−ＸＩＩ’線に沿った縦断面図、図１３は図９中のキャップ部材の正面図、図１４は図１３の平面図、図１５は図１４のＸＶ−ＸＶ’線に沿った縦断面図であり、図１と同一の構成部分には同一の符号が付してある。
これらの図において、１Ａはストラップ、４Ａは全体が円柱状に形成されたプラスチック製または金属製の固定金具であり、上端部の紐穴４０に上紐３が挿通されるとともに、下端中央に下紐２が固着されている。固定金具４Ａの下端部には円筒状でプラスチック製のキャップ部材７が着脱自在に嵌着されており、このキャップ部材７の下部側の内側に断面が凸形で弾性を有するプラスチック製の口止め部材５Ａが着脱自在に嵌着されている。
【００１７】
口止め部材５Ａは後述する収納袋（図１６の符号６参照）の口部が開かないようにするためのものである。口止め部材５Ａは下端部がリング状のツバ部５０となっており、このツバ部５０の上に略円筒状の筒部５１Ａが一体的に形成されている。口止め部材５Ａの内部に上下に貫通した穴状の差し込み部５２が形成されており、差し込み部５２の下端が差し込み口５３となっている。差し込み部５２は上端近くから下端に掛けてテーパ状に形成されている。口止め部材５Ａの筒部５１Ａには上端から十字状に縦割りにしたスリット５５がツバ部５０の近くまで刻設されている。下紐２は口止め部材５Ａの差し込み部５２の中に挿通されている。
【００１８】
キャップ部材７の嵌合穴７０の内径は口止め部材５Ａの筒部５１Ａの外径より少しだけ小さく形成されており、キャップ部材７を口止め部材５Ａの筒部５１Ａの外側面に嵌合させたとき、キャップ部材７が周囲から筒部５１Ａを中心方向へ押圧し、差し込み部５２を窄める方向に弾性変形させる。キャップ部材７は嵌合穴７０により固定金具４Ａの下端部に着脱自在に嵌着されている。口止め部材５Ａは筒部５１Ａがキャップ部材７の嵌合穴７０の中に着脱自在に嵌着されている。
ストラップ１Ａ、口止め部材５Ａ、キャップ部材７、図１６に示す収納袋６により携帯機器用防水具が構成されている。
携帯機器用防水具のその他の構成部分は図１と同様に構成されている。
【００１９】
図１６、図１７を参照して上記した実施例の使用方法を説明する。なお予め、固定金具４Ａにキャップ部材７と口止め部材５Ａが装着されたストラップ１Ａが携帯電話１０に取り付け済みであるとする（図９の状態参照）。
屋外で携帯電話１０をストラップ１Ａにより首に掛けているときに、雨が降ってきたとき、まず携帯電話１０を収納袋６の口部６０の開口端６１から中に入れ、口部６０をストラップ１の下紐２に沿って縦長に窄める。そして、固定金具４Ａに装着されたキャップ部材７から口止め部材５Ａを下方へ外し、下紐２とともに窄めた口部６０を差し込み口５３から差し込み部５２の中に差し込む。これにより、窄めた口部６０が開かないように差し込み部５２の中に保持されるので、携帯電話１０が雨に濡れるのを防止できる（図１６参照）。
【００２０】
雨量が多いときなどに、固定金具４Ａからキャップ部材７を下に外し、嵌合穴７０を口止め部材５Ａの筒部５１の外側面に嵌合すると、キャップ部材７が周囲から筒部５１Ａを中心方向へ押圧するが、このとき、筒部５１Ａにスリット５５が刻設されているので差し込み部５２が窄まる方向に変形する。これにより、収納袋６の中に雨水が入らないように確実に口部６０を密閉封止することができる（図１７参照）。
雨が止んで携帯電話１０を収納袋６から取り出したい場合、口止め部材５Ａからキャップ部材７を外すとともに口部６０から口止め部材５Ａを外し、収納袋６を携帯電話１０から外すとともに、キャップ部材７を下紐２に沿って上げ固定金具４Ａの下端部に嵌着し、続いて口止め部材５Ａを下紐２に沿って上げキャップ部材７の下端部の内部に嵌着すれば良い。
【００２１】
この第２実施例によれば、予め取り付けてあるストラップ１Ａを外さなくても、収納袋６を用いて携帯電話１０を簡単に防水することができる。また、キャップ部材７を口止め部材５Ａの筒部５１Ａの外側面に嵌合して周囲から筒部５１Ａを中心方向へ押圧し、差し込み部５２を窄める方向に変形させる。これにより、収納袋６の中に雨水が入らないように確実に口部６０を密閉封止することができる。
また、ストラップ１Ａに防水性と柔軟性を有する収納袋６、口止め部材５Ａ、キャップ部材７という簡単なパーツを付加するだけなのでコストが安価に済む。また、口止め部材５Ａとキャップ部材７は不使用時に固定金具４Ａに装着しておけるので紛失する恐れがない。
【００２２】
なお、上記した実施例では、筒部にスリットを刻設したが、スリットを省略しても良い。また、キャップ部材を口止め部材に嵌合する際、図１８に示す如く、口止め部材５Ａから上に出ている口部６０を口止め部材５Ａの側面に沿って折り曲げ、しかるのち、図１９に示す如く口部６０の膜６２を介して口止め部材５Ａの筒部５１Ａの外面にキャップ部材７を嵌合するようにしても良い。
【実施例３】
【００２３】
次に、図２０乃至図２３を参照して本発明の第３実施例を説明する。図２０は本発明に係る携帯電話用防水具の主要部の外観正面図、図２１は図２０中の口止め部材の正面図、図２２は図２１の平面図、図２３は図２２のＸＸＩＩＩ−ＸＸＩＩＩ’線に沿った縦断面図であり、図９と同一の構成部分には同一の符号が付してある。
これらの図において、１Ｂはストラップ、４Ｂは全体が円柱状に形成されたプラスチック製または金属製の固定金具であり、上端部の紐穴４０に上紐３が挿通されるとともに、下端中央に下紐２が固着されている。固定金具４Ｂの下端部には円筒状のキャップ部材７が着脱自在に嵌着されており、このキャップ部材７の下端部の内側に断面が凸形で弾性を有するプラスチック製の口止め部材５Ｂが着脱自在に嵌着されている。
【００２４】
口止め部材５Ｂは後述する収納袋の口部（図２４の符号６、６０参照）が開かないようにするためのものである。口止め部材５Ｂは下端部がリング状のツバ部５０Ｂとなっており、このツバ部５０Ｂの上に略円筒状の筒部５１Ｂが一体的に形成されている。口止め部材５Ｂの内部に上下に貫通した穴状の差し込み部５２Ｂが形成されており、この差し込み部５２Ｂは口止め部材５Ｂの側面に開口した差し込み口５３Ｂを有しており、差し込み口５３Ｂを通して差し込み部５２Ｂの中に収納袋６の窄めた口部６０を差し込み可能となっている。筒部５１Ｂの差し込み口５３Ｂと反対側には、上端からツバ部５０Ｂの近くまでスリット５５Ｂが刻設されている。下紐２は差し込み部５２Ｂの中に挿通されている。
【００２５】
キャップ部材７の嵌合穴７０の内径は口止め部材５Ｂの筒部５１Ｂの外径より少しだけ小さく形成されており、キャップ部材７を口止め部材５Ｂの筒部５１Ｂの外面に嵌合させたとき、差し込み口５３Ｂを閉塞するとともに、キャップ部材７が周囲から筒部５１Ｂを中心方向へ押圧し、差し込み部５２Ｂを窄める方向に変形させる。キャップ部材７は嵌合穴７０が固定金具４Ｂの下端部に着脱自在に嵌着されている。口止め部材５Ｂは筒部５１Ｂがキャップ部材７の嵌合穴７０の中に着脱自在に嵌着されている。
ストラップ１Ｂ、口止め部材５Ｂ、キャップ部材７、図２４に示す収納袋６により携帯機器用防水具が構成されている。
その他の構成部分は図９と同様に構成されている。
【００２６】
図２４、図２５を参照して上記した実施例の使用方法を説明する。なお予め、固定金具４Ｂにキャップ部材７と口止め部材５Ｂが装着されたストラップ１Ｂが携帯電話１０に取り付け済みであるとする（図２０の状態参照）。
屋外で携帯電話１０をストラップ１Ｂにより首に掛けているときに、雨が降ってきたとき、まず携帯電話１０を収納袋６の口部６０の開口端６１から中に入れ、口部６０をストラップ１Ｂの下紐２に沿って縦長に窄める。そして、固定金具４Ｂに装着されたキャップ部材７から口止め部材５Ｂを外し、下紐２とともに窄めた口部６０を側面の差し込み口５３Ｂから差し込み部５２Ｂの中に差し込む（図２４参照）。これにより、窄めた口部６０が開かないように差し込み部５２Ｂの中に保持されるので、携帯電話１０が雨に濡れるのを防止できる。
【００２７】
雨量が多いときなどに、固定金具４Ｂからキャップ部材７を下に外し、口止め部材５Ｂの筒部５１Ｂの外側面に嵌合すると、差し込み口５３Ｂが閉塞されて口部６０が誤って口止め部材５Ｂから外れるのを防止できるとともに、キャップ部材７が周囲から筒部５１Ｂを中心方向へ押圧する。この際、筒部５１Ｂにスリット５５Ｂが刻設されていることから、差し込み部５２Ｂが窄まる方向に変形する。これにより、収納袋６の中に雨水が入らないように確実に口部６０を密封封止することができる（図２５参照）。
雨が止んで携帯電話１０を収納袋６から取り出したい場合、口止め部材５Ｂからキャップ７を外すとともに窄めた口部６０から口止め部材５Ｂを外し、更に収納袋６を携帯電話１０から外す。そして、キャップ７を下紐２に沿って上げ固定金具４Ｂの下端部に嵌着し、口止め部材５Ｂを下紐２に沿って上げキャップ７の内部に嵌着すれば良い。
【００２８】
この第３実施例によれば、携帯電話１０に予め取り付けてあるストラップ１Ｂを外さなくても、収納袋６を用いて携帯電話１０を簡単に防水することができる。また、窄めて縦長の棒状とした口部６０を口止め部材５Ｂの側面側から容易に差し込み部５２Ｂに差し込むことができる。
また、キャップ部材７を口止め部材５Ｂの筒部５１Ｂの外側面に嵌合することで、差し込み口５３Ｂを閉塞して口部６０が誤って口止め部材５Ｂから外れるのを防止でき、同時に、周囲から筒部５１Ｂを中心方向へ押圧し、差し込み部５２Ｂを窄める方向に変形させて、収納袋６の中に雨水が入らないように確実に口部６０を封止することもできる。
また、ストラップ１Ｂに防水性と柔軟性を有する収納袋６、口止め部材５Ｂ、キャップ部材７という簡単なパーツを付加するだけなのでコストが安価に済む。
また、口止め部材５Ｂとキャップ部材７は不使用時に固定金具４Ｂに装着しておけるので紛失する恐れがない。
【００２９】
なお、上記した第３実施例では、筒部にスリットを刻設したが、省略しても良い。
また、キャップ部材を口止め部材に嵌合する際、図１８、図１９と同様にして、口止め部材から上に出ている口部を口止め部材の側面に沿って折り曲げ、しかるのち、口部の膜を介して口止め部材の筒部の外側面にキャップ部材を嵌合するようにしても良い。
また、キャップ部材を省略し、口止め部材を図１の如くストラップの固定金具の下端部に着脱自在に装着するようにしても良い。
【００３０】
また、上記した第３実施例では口止め部材の差し込み部を穴状としたが、溝状としても良い。具体的には図２６乃至図２８の口止め部材５Ｃに示す如く構成すれば良い。これらの図において、口止め部材５Ｃは弾性を有するプラスチック製であり、下端部がリング状のツバ部５０Ｃとなっており、このツバ部５０Ｃの上に略円筒状の筒部５１Ｃが一体的に形成されている。口止め部材５Ｃの内部に上下に貫通した溝状の差し込み部５２Ｃが形成されており、この差し込み部５２Ｃは口止め部材５Ｃの側面に開口した差し込み口５３Ｃを有している。筒部５１Ｃの差し込み口５３Ｃと反対側には、上端からツバ部５０Ｃの近くまでスリット５５Ｃが刻設されている（スリット５５Ｃは省略しても良い）。ストラップの下紐は差し込み部５２Ｃの中に挿通可能になっている。
【００３１】
図２９に口止め部材５Ｃの使用方法を示す。下紐２とともに窄めた口部６０を口止め部材５Ｃの差し込み口５３Ｃから溝状の差し込み部５２Ｃに差し込むと、筒部５１Ｃが押し広げられて弾性変形し口部６０を両側から圧接する。これにより、雨水が浸入しないように窄めた口部６０を密閉状態で保持することができる。
このように構成された口止め部材５Ｃの筒部５１Ｃの外面に更に図２０のキャップ部材７を嵌合し、差し込み口５３Ｃを封止させて口部６０が誤って口止め部材５Ｃから外れるのを防止するとともに、キャップ部材７が周囲から筒部５１Ｃを中心方向へ押圧し、差し込み部５２Ｃを窄める方向に変形させることで、収納袋６の中に雨水が入らないように、より確実に口部６０を密封させることもできる（図３０参照）。キャップ部材を省略し、口止め部材５Ｃを図１の如くストラップの固定金具の下端部に着脱自在に装着するようにしても良いのは勿論である。
【実施例４】
【００３２】
次に、図３１乃至図３４を参照して本発明の第４実施例を説明する。図３１は本発明に係る携帯電話用防水具の主要部の外観正面図、図３２は図３１中の口止め部材の外観斜視図（（１）は閉じた状態、（２）は開いた状態）、図３３は図３２の口止め部材の側面図、図３４は図３２の口止め部材の平面図（（１）は閉じた状態、（２）は開いた状態）であり、図１と同一の構成部分には同一の符号が付してある。
これらの図において、１Ｄはストラップ、４Ｄは全体が円柱状に形成されたプラスチック製または金属製の固定金具であり、上端部の紐穴４０に上紐３が挿通されるとともに、下端中央に下紐２が固着されている。５Ｄは下紐２に着脱自在に取り付けられた弾性を有するプラスチック製の口止め部材であり、下端に略Ｕ字状の基部としてのツバ部５０Ｄが設けられており、このツバ部５０Ｄの上側に、カマボコ形の凹部８０を有し、略雨トイの形状を有する第１の挟持部８１が一体的に立設されている。第１の挟持部８１の一端縁には凹部８０に嵌まるカマボコ形の凸部８２を有する第２の挟持部８３の一端縁が折り曲げ自在に一体化されており、図３４の（２）に示す如く第２の挟持部８３は、第１の挟持部８１と第２の挟持部８３の間の折り曲げ部８４を中心にして開閉可能になっている。第１の挟持部８１と第２の挟持部８３の内、折り曲げ部８４とは反対側の各々の端縁には係合突起８５と係合凹部８６が設けられており、係合突起８５に係合凹部８６が係脱自在に係合可能になっている。ツバ部５０Ｄは差し込み部としての差し込み溝８７を有し、第１の挟持部８１とは反対側の側面に差し込み口８８が開口している。差し込み溝８７には下紐２、収納袋の窄めた口部（図３５の符号６、６０参照）を挿脱自在であり、とくに収納袋の窄めた口部を嵌め込んだときはツバ部５０Ｄの弾性変形で口部が押圧されて密閉されるようになっている。第２の挟持部８３の凹部８２には縦方向に延びた差し込み溝８９が刻設されており、収納袋の窄めた口部を嵌め込み可能となっている。
【００３３】
口止め部材５Ｄは、指で係合突起８５と係合凹部８６の係合を外し、第２の挟持部８３を開いた状態とすることで、外部から下紐２や窄めた収納袋６の口部６０を差し込み口８８から差し込み溝８７と凹部８０に入れたり、反対に差し込み溝８７と凹部８０に入れられた下紐２や窄めた収納袋６の口部６０を差し込み口８８から外側に出したりできる。また、下紐２や窄めた収納袋６の口部６０を差し込み溝８７と凹部８０に入れ、指で第２の挟持部８３を閉じながら窄めた収納袋６の口部６０を差し込み溝８９に差し込み、係合突起８５に係合凹部８６を係合させることにより、凸部８２と凹部８０の間に下紐２や窄めた収納袋６の口部６０を挟持させることができる。
ストラップ１Ｄ、口止め部材５Ｄ、図３５に示す収納袋６により携帯機器用防水具が構成されている。
その他の構成部分は図１と同様に構成されている。
【００３４】
図３５、図３６を参照して上記した実施例の使用方法を説明する。なお予め、下紐２に口止め部材５Ｄが取着されたストラップ１Ｄが携帯電話１０に取り付け済みであるとする（図３１の状態参照）。
屋外で携帯電話１０をストラップ１Ｄにより首に掛けているときに、雨が降ってきたとき、まず口止め部材５Ｄの係合突起８５と係合凹部８６の係合を外して第２の挟持部８３を開いて下紐２から口止め部材５Ｄを外し、携帯電話１０を収納袋６の口部６０の開口端６１から中に入れ、口部６０を下紐２に沿うようにして縦長に窄める。そして、窄めた口部６０を口止め部材５Ｄの差し込み口８８から差し込み溝８７に嵌め込み、凹部８０に入れる（図３５の矢印ａ、破線参照）。差し込み溝８７に嵌め込まれた口部６０はツバ部５０Ｄの弾性変形により、窄める方向に押圧されるので、差し込み溝８７から外れ難くなる。凹部８０に窄めた口部６０が入った状態で更に第２の挟持部８３を閉じながら窄めた収納袋６の口部６０を差し込み溝８９に差し込み（図３５の矢印ｂ参照）、最後に係合突起８５に係合凹部８６を係合させることで窄めた口部６０を第１、第２の挟持部８１、８３の間に挟持させる。これにより、窄めた口部６０が閉塞され、収納袋６の中に雨水が入らないように確実に口部６０を封止することができる（図３６参照）。
雨が止んで携帯電話１０を収納袋６から取り出したい場合、口止め部材５Ｄの係合突起８５と係合凹部８６の係合を外して第２の挟持部８３を開いて口部６０から口止め部材５Ｄを外し、収納袋６を携帯電話１０から外す。そして、下紐２に口止め部材５Ｄを挟着し直せば良い。
【００３５】
この第４実施例によれば、携帯電話１０に予め取り付けてあるストラップ１Ｄを外さなくても、収納袋６を用いて携帯電話１０を簡単に防水することができる。また、窄めて棒状とした口部６０をツバ部５０Ｄの差し込み溝８７に嵌め込み、口止め部材５Ｄの第１、第２の挟持部８１、８３で挟み、係合突起８５と係合凹部８６を係合させるだけの簡単な作業で口部６０を密閉することができる。
また、窄めて棒状とした口部６０をツバ部５０Ｄと第１、第２の挟持部８１、８３により二重に密閉できるので、収納袋６の中への雨水の侵入を確実に防止できる。
また、ストラップ１Ｄに防水性と柔軟性を有する収納袋６、口止め部材５Ｄという簡単なパーツを付加するだけなのでコストが安価に済む。
また、雨が降っていないときは口止め部材５Ｄを下紐２に装着しておけるので紛失する恐れがない。
【００３６】
なお、上記した第４実施例では、口止め部材にツバ部を設けたが省略しても良い。また、口止め部材を図１の如くストラップの固定金具の下端部に着脱自在に装着可能としても良い。
【００３７】
また、上記した各実施例及び変形例において、口止め部材の下部に一対の脚を設け、窄めた袋の口部を口止め部材で保持した状態で、袋の上から携帯機器の端部を着脱自在に挟むようにし、口止め部材が窄めた袋の口部からより外れ難くしても良い。例えば図１の口止め部材の場合、図３７乃至図４０に示す口止め部材５Ｅの如く変形する。図３７は口止め部材の正面図、図３８は図３７の側面図、図３９は図３７の平面図、図４０は図３９のＸＬ−ＸＬ’線に沿った縦断面図である。これらの図において、口止め部材５Ｅは全体が弾性を有するプラスチック部材から成り、口止め部材５Ｅの下部には図２のツバ部５０に相当する基部５００の下面の両側から下方に平行に突設された一対の脚５０１、５０２が設けられている。口止め部材５Ｅのその他の構成部分は図１の口止め部材５と全く同様に形成されている。
口止め部材５Ｅにより収納袋６の窄めた口部６０を保持する場合、図４１に示す如く、差し込み口５３から差し込み部５２の中に窄めた口部６０を差し込むとともに、口部６０の下端近傍の収納袋６の外側から脚５０１、５０２の間に携帯電話１０の端部を嵌着する。脚５０１、５０２が弾性変形して携帯電話１０の端部に両側から圧接することにより、口止め部材５Ｅが口部６０から外れ難くなる。脚５０１、５０２を外したいときは、収納袋６の上から携帯電話１０を持って口止め部材５Ｅを引き上げればよい。他の第２実施例乃至第４実施例やそれらの変形例の口止め部材も下部に一対の脚を設けるようにしても良い。
【００３８】
また、上記した各実施例や変形例では、ストラップの下紐を携帯電話の紐穴に結ぶようにしたが、図４２に示す如く、携帯電話１００にストラップ金具１０１をネジ１０２、１０２で後後付けし、このストラップ金具１０１の紐通し部１０３にストラップの下紐２を結ぶようにしたり、図４３に示す如く、携帯電話１１０に常時、保護ケース１２０を取り付ける場合、保護ケース１２０の紐穴１２１にストラップの下紐２を結ぶようにし、雨が降ってきたとき、保護ケース付きの携帯電話１１０を収納袋に収納し、口止め部材または口止め部材とキャップ部材により、収納袋の窄めた口部を保持するようにしても良い。
【００３９】
また、上記した各実施例や変形例では、収納袋の口部を下紐に沿って縦長の棒状に窄めて口止め部材により、口部が開かないように保持するようにしたが、口部を横長の棒状に丸め、丸めた口部の端部を口止め部材により保持するようにして、収納袋の中に携帯機器を封入するようにしても良い。
具体的には例えば図１の携帯電話１０と口止め部材５を用いる場合、図４４に示す如く、予め、収納袋６Ｆの口部６０の内、携帯電話１０の紐穴１１の近くとなる側部などに、開口端６１から収納袋６Ｆの底に向けて携帯電話１０の上端近くまで縦方向に切れ目（スリット）６３を設けておく。ストラップ１の付いた携帯電話１０を防水したい場合、携帯電話１０を収納袋６Ｆに入れ、下紐２を切れ目６３から外に出した状態で、口部６０を開口端６１から底に向けて横長の棒状に丸める（図４５、図４６参照）。そして、口止め部材５の差し込み口５３から差し込み部５２の中に、丸めた口部６０の下紐２の側の端部６４を下紐２とともに差し込む（図４６参照）。これにより、窄めた口部６０が開かないように端部６４が口止め部材５の中に保持されるので、携帯電話１０が雨に濡れるのを防止できる。この際、図４６の二点鎖線で示す如く、別途用意した固定部材としての粘着テープ２００により、丸めて窄めた口部６０を携帯電話１０を覆った収納袋６Ｆに着脱自在に固定したり、固定部材としての略Ｖ字状のバネ性を有するクリップ２０１により、丸めて窄めた口部６０を収納袋６Ｆの上から携帯電話１０の端部に着脱自在に固定して、口部６０がより開き難くなるようにしても良い。また、図４４乃至図４６の口止め部材５を他の第２実施例乃至第４実施例やそれらの変形例の口止め部材または口止め部材とキャップ部材に置き換えて、丸めた口部６０の端部６４が開かないように保持するようにしても良い。
【００４０】
また、携帯電話を図４３の如く保護ケース付きとする場合、図４７に示す如く、非使用時の折り畳んだ収納袋６（６Ｆ）や、図４６の粘着テープ２００、クリップ２０１を携帯電話１１０と保護ケース１２０の間に挟んで保管するようにすれば、収納袋６（６Ｆ）、粘着テープ２００、クリップ２０１を携帯電話１１０と別途保管する手間が省ける。
【００４１】
また、上記した各実施例及び変形例では携帯機器として携帯電話を例に挙げて説明したが、スマートフォンや他の携帯情報端末などにも適用可能である。
【産業上の利用可能性】
【００４２】
本発明は、携帯電話、スマートフォンや他の携帯情報端末などに適用可能である。
【符号の説明】
【００４３】
１、１Ａ、１Ｂ、１Ｄ  ストラップ
２  下紐
３  上紐
４、４Ａ、４Ｂ、４Ｄ  固定金具
５、５Ａ、５Ｂ、５Ｃ、５Ｄ、５Ｅ  口止め部材
６、６Ｆ  収納袋
７  キャップ部材
１０、１００、１１０  携帯電話
５０、５０Ｂ、５０Ｃ、５０Ｄ  ツバ部
５１、５１Ａ、５１Ｂ、５１Ｃ  筒部
５２、５２Ｂ、５２Ｃ  差し込み部
５３、５３Ｂ、５３Ｃ  差し込み口
５４  溝
５５、５５Ｂ、５５Ｃ  スリット
６０  口部
開口端  ６１
６２  膜
切れ目  ６３
８１  第１の挟持部
８３  第２の挟持部
８４  折り曲げ部
１０１  ストラップ金具
１２０  保護ケース
２００  粘着テープ
２０１  クリップ
５０１、５０２  脚
【図１】
2015111800.tif 000003
【図２】
2015111800.tif 000004
【図３】
2015111800.tif 000005
【図４】
2015111800.tif 000006
【図５】
2015111800.tif 000007
【図６】
2015111800.tif 000008
【図７】
2015111800.tif 000009
【図８】
2015111800.tif 000010
【図９】
2015111800.tif 000011
【図１０】
2015111800.tif 000012
【図１１】
2015111800.tif 000013
【図１２】
2015111800.tif 000014
【図１３】
2015111800.tif 000015
【図１４】
2015111800.tif 000016
【図１５】
2015111800.tif 000017
【図１６】
2015111800.tif 000018
【図１７】
2015111800.tif 000019
【図１８】
2015111800.tif 000020
【図１９】
2015111800.tif 000021
【図２０】
2015111800.tif 000022
【図２１】
2015111800.tif 000023
【図２２】
2015111800.tif 000024
【図２３】
2015111800.tif 000025
【図２４】
2015111800.tif 000026
【図２５】
2015111800.tif 000027
【図２６】
2015111800.tif 000028
【図２７】
2015111800.tif 000029
【図２８】
2015111800.tif 000030
【図２９】
2015111800.tif 000031
【図３０】
2015111800.tif 000032
【図３１】
2015111800.tif 000033
【図３２】
2015111800.tif 000034
【図３３】
2015111800.tif 000035
【図３４】
2015111800.tif 000036
【図３５】
2015111800.tif 000037
【図３６】
2015111800.tif 000038
【図３７】
2015111800.tif 000039
【図３８】
2015111800.tif 000040
【図３９】
2015111800.tif 000041
【図４０】
2015111800.tif 000042
【図４１】
2015111800.tif 000043
【図４２】
2015111800.tif 000044
【図４３】
2015111800.tif 000045
【図４４】
2015111800.tif 000046
【図４５】
2015111800.tif 000047
【図４６】
2015111800.tif 000048
【図４７】
2015111800.tif 000049